(57)【要約】【課題】ビデオカメラで撮影されたコンテンツが大量にＨＤＤ内などに蓄積されている場合、自分が保持しているコンテンツにどんなものがあるか一覧したいときに、コンテンツ群から一部のコンテンツだけを自動的に選抜して再生する方法を提供する。【解決手段】指定されたコンテンツ群から、コンテンツを３つのステップで再生候補から除外し、選抜に残ったコンテンツのみを再生する。ひとつは複製コンテンツの除去、もうひとつは編集元コンテンツの除去、もうひとつは撮影記録日時の近いコンテンツの除去である。これらにより全体からまんべんなくコンテンツを再生候補に残すことができる。【選択図】図１
2010262687.tif 000002
【特許請求の範囲】
【請求項１】
再生対象のコンテンツ群を選ぶ再生元決定手段と、
前記再生元決定手段で選ばれたコンテンツ群の中で、あるコンテンツと他のコンテンツの撮影記録日時の時間間隔を算出し、間隔の短いコンテンツがあった場合、再生候補から最も再生時間の長いコンテンツを残してそれ以外のコンテンツを取り除く近接コンテンツ除去手段と、
前記近接コンテンツ除去手段によって取り除かれた後の、前記再生元決定ステップで指定されたコンテンツ群を選抜する選抜手段と、
前記選抜手段で選抜されたコンテンツ群の中からコンテンツを再生する再生手段と、
を備えることを特徴とする再生装置。
【請求項２】
再生対象のコンテンツ群を選ぶ再生元決定手段と、
前記再生元決定手段で選ばれたコンテンツ群の中で、あるコンテンツが他のコンテンツの複製である場合に、該複製コンテンツを取り除く複製コンテンツ除去手段と、
前記複製コンテンツ除去手段によって取り除かれた後の、前記再生元決定手段で指定されたコンテンツ群を選抜する選抜手段と、
前記選抜手段で選抜されたコンテンツ群の中からコンテンツを再生する再生手段と、
を備えることを特徴とする再生装置。
【請求項３】
再生対象のコンテンツ群を選ぶ再生元決定手段と、
前記再生元決定手段で選ばれたコンテンツ群の中で、あるコンテンツが他のコンテンツを元に編集された場合に、再生対象から編集元のコンテンツを取り除く編集元コンテンツ除去手段と、
前記編集元コンテンツ除去手段によって取り除かれた後の、前記再生元決定手段で指定されたコンテンツ群を選抜する選抜手段と、
前記選抜手段で選抜されたコンテンツ群の中からコンテンツを再生する再生手段と、
を備えることを特徴とする再生装置。
【請求項４】
再生対象のコンテンツ群を選ぶ再生元決定ステップと、
前記再生元決定ステップで選ばれたコンテンツ群の中で、あるコンテンツと他のコンテンツの撮影記録日時の時間間隔を算出し、間隔の短いコンテンツがあった場合、再生候補から最も再生時間の長いコンテンツを残してそれ以外のコンテンツを取り除く近接コンテンツ除去ステップと、
あるコンテンツが他のコンテンツの複製である場合に、該複製コンテンツを取り除く複製コンテンツ除去ステップと、
前記再生元決定ステップで選ばれたコンテンツ群の中で、あるコンテンツが他のコンテンツを元に編集された場合に、再生対象から編集元のコンテンツを取り除く編集元コンテンツ除去ステップのうちの少なくとも１つのステップと、
前記近接コンテンツ除去ステップと前記複製コンテンツ除去ステップと前記編集元コンテンツ除去ステップのうちの少なくとも１つのステップによって取り除かれた後の、前記再生元決定ステップで指定されたコンテンツ群を選抜する選抜ステップと、
前記選抜ステップに選抜されたコンテンツ群の中からコンテンツを再生する再生ステップと、
を有することを特徴とする再生方法。
【請求項５】
請求項４に記載の再生方法を含むプログラム。
【請求項６】
請求項５に記載したプログラムを記録した媒体。
【発明の詳細な説明】
【技術分野】
【０００１】
本発明は、保存されたコンテンツを再生する装置及び方法に関するものである。
【背景技術】
【０００２】
ＨＤＤなど記録媒体の大容量化に伴い、ビデオカメラで撮影された映像コンテンツを気兼ねなく保存しておくことができるようになった。そのため自分の手持ちのコンテンツにどのようなものがあるかをざっと見渡すという機能が必要になる。望ましいのは、ユーザが記録したコンテンツをその都度編集作業を行い、タイトルなどをつけて適切に分類して保存しておくことであるが、そういった作業は後回しにして、コンテンツをただ保存しておいてしまうこともよくある。こういったことを続けると、コンテンツが無分類に蓄積され、ざっと見渡すことは難しくなる。全体を見るために、保存されているコンテンツを単純にすべて再生するのは、時間がかかりすぎる。またコンテンツのコピーや編集済みのコンテンツがあると、同じ内容を複数回再生することになるといった問題も生じる。
関連する方法として、コンテンツを再生するときにコンテンツの中の盛り上がり部分や不要部分を解析して、ダイジェスト再生する方法がある。（特許文献１参照）。この方法では、解析対象となるコンテンツをまずユーザが選び、それらを要約して再生することになる。ＴＶ番組などのようにまとまった長さのあるコンテンツを再生するときに適している。
【先行技術文献】
【特許文献】
【０００３】
【特許文献１】特開２００６−１４８５２６号公報
【発明の概要】
【発明が解決しようとする課題】
【０００４】
しかしビデオカメラで撮影されたようなデータでは、長さもまちまちで、またコピーや編集されたデータなど含めてコンテンツの数自体が大量に存在する可能性がある。手持ちのコンテンツ全体をざっと見たいときに、保存されているコンテンツ群全体に対してこのダイジェスト再生を行うと、コピーコンテンツとオリジナルコンテンツに対しても重複して同じ部分が再生部分として選ばれたり、たまたま盛り上がりシーンのなかったようなコンテンツが再生部分に選ばれなかったりするという問題が起きる。
そこで、多くのコンテンツがあるときに、それら全体を要約した再生候補を自動的に生成することが有用である。
【課題を解決するための手段】
【０００５】
本発明では、与えられたコンテンツ群の中から、重要で無いコンテンツを再生候補から除去することで、コンテンツを自動的に選抜してそれらだけを再生することができる。
コンテンツの除去には、複製コンテンツ除去部と、編集元コンテンツ除去部と、近接コンテンツ除去部の３つがある。複製コンテンツ除去部においては、コンテンツＡのコピーであるようなコンテンツＢ，Ｃが存在する場合に、コピーのコンテンツＢ，Ｃを再生候補から除去する。編集元コンテンツ除去部においては、あるコンテンツを編集して作ったコンテンツが存在する場合に、編集元のコンテンツを再生候補から除去する。近接コンテンツ除去部においては、撮影時刻の近いコンテンツがいくつかある場合に、記録時間の長いコンテンツを残してそれ以外を再生候補から除去する。
【発明の効果】
【０００６】
まず複製コンテンツ除去部により、バックアップのためにコピーしてあるようなデータを取り除いて再生することができる。
【０００７】
次に編集元コンテンツ除去部により、編集後のデータが優先的に再生候補に残る。一般的にユーザが何かのコンテンツを編集した場合、その結果はユーザにとって意味のあるコンテンツであると考えられるからである。
【０００８】
次に近接コンテンツ除去部により、コンテンツ群全体の中からまんべんなく再生候補を残しつつ、多くのコンテンツを除去することができる。ビデオカメラで撮影したような場合、こまめに録画／ポーズを繰り返しながら撮影すると、１つのイベントに対して多くのコンテンツが保存されることになる。撮影時間の近いものは、一連のシーンを撮影している可能性が高いのでどれかを残せば要約として十分と考えられるからである。
【０００９】
これらの手順により大量のコンテンツがある場合に、代表的と思われるコンテンツだけを自動的に選抜して再生することが可能になる。
【図面の簡単な説明】
【００１０】
【図１】本発明の再生装置のブロック図
【図２】本発明の再生方法のフローチャート
【図３】本発明の複製コンテンツ除去方法のフローチャート
【図４】本発明の編集元コンテンツ除去方法のフローチャート
【図５】本発明の近接コンテンツ除去方法のフローチャート
【発明を実施するための形態】
【００１１】
以下に本発明を実施するための最良の形態について、図面を参照しながら説明する。
【実施例】
【００１２】
図１は、この発明による再生を実現する再生装置のブロック図である。ここではＰＣによる発明の実施の例としている。すなわち主記憶部２にＨＤＤであり、コンテンツ群を保存されている。コンテンツ解析部３および再生処理部４は、ＣＰＵとそれぞれの処理を行うプログラムである。入力装置５はマウスまたはキーボードで、再生の開始や終了などをユーザが指示する。出力装置６はディスプレイおよびスピーカーで、再生結果をユーザに呈示する。本発明の要点はコンテンツ解析部３での再生コンテンツの選抜のアルゴリズムにあり、以下それを中心に説明する。
【００１３】
今、主記憶部２内に、ＣｏｎｔｅｎｔＡ〜ＣｏｎｔｅｎｔＧの７つの映像コンテンツが保存済みであり、ＣｏｎｔｅｎｔＡは運動会のビデオ、ＢはＡのコピー、Ｃは音楽会のビデオ、ＤはＣを編集したもの、Ｅ，Ｆ，Ｇは結婚式のビデオ（再生時間はＥ＞Ｆ＞Ｇ）であったとする。
以下、図２に示すフローチャートに沿って説明する。まずＳｔｅｐ１−１でユーザは入力装置５によって再生コンテンツ群を選択する。本例では上記の７つのコンテンツ（ＣｏｎｔｅｎｔＡ〜Ｇ）が再生コンテンツ群として選択されたものとする。
【００１４】
次にＳｔｅｐ１−２で複製コンテンツ除去を行う。ここでは再生コンテンツ群の中のコンテンツ同士を比較し、複製があった場合に、それを再生コンテンツ群から取り除く（図３参照）。本例ではＣｏｎｔｅｎｔＢがＣｏｎｔｅｎｔＡのコピーであるため、ＣｏｎｔｅｎｔＢを再生コンテンツ群を取り除く。この時点で再生コンテンツ群はＣｏｎｔｅｎｔＡ，Ｃ，Ｄ，Ｅ，Ｆ，Ｇになる。
【００１５】
次にＳｔｅｐ１−３で編集元コンテンツ除去を行う。ここでは再生コンテンツ群の中のコンテンツ同士を比較し、編集元コンテンツがあった場合に、それを再生コンテンツ群から取り除く（図４参照）。本例では、ＣｏｎｔｅｎｔＣはＣｏｎｔｅｎｔＤの編集元であるため、ＣｏｎｔｅｎｔＣを再生コンテンツ群から取り除く。この時点で再生コンテンツ群はＣｏｎｔｅｎｔＡ，Ｄ，Ｅ，Ｆ，Ｇになる。
【００１６】
次にＳｔｅｐ１−４で近接コンテンツ除去を行う。ここでは再生コンテンツ群の中のコンテンツ同士を比較し、撮影時間の近いコンテンツ同士があった場合、より再生時間の短い方を再生コンテンツ群から取り除く（図５参照）。本例ではＣｏｎｔｅｎｔＥ，Ｆ，Ｇが結婚式の際に撮影されたものであり、これらが互いに撮影時間が近いと判定される。そして再生時間の比較により、再生時間の短いＣｏｎｔｅｎｔＦ，Ｇを再生コンテンツ群から取り除く。
【００１７】
以上のステップにより、最終的に再生コンテンツ群はＣｏｎｔｅｎｔＡ，Ｄ，Ｅのみとなる。
【００１８】
最後にＳｔｅｐ１−５で、選抜された再生コンテンツ群のみを再生処理部４にてデコードして、出力装置６に映像と音声を出力する。
【産業上の利用可能性】
【００１９】
本発明は音声・映像の記録再生を行う再生装置に用いることができる。
【符号の説明】
【００２０】
１    再生装置
２    主記憶部
３    コンテンツ解析部
４    再生処理部
５    入力装置
６    出力装置
【図１】
2010262687.tif 000003
【図２】
2010262687.tif 000004
【図３】
2010262687.tif 000005
【図４】
2010262687.tif 000006
【図５】
2010262687.tif 000007